(57)【要約】  ローディングモードで動作するガード・検知間静電容量式センサーの検知インピーダンス決定のための方法であって、センサーは、検知ノードに接続された導電性の検知電極、ガードノードに接続された導電性のガード電極、周期ガード電圧源、及び、制御・評価回路を動作上含む。本方法は以下の各ステップを含む。ａ．ガード電極に周期ガード電圧を供給することｂ．予め定められた値Ｚrefの基準インピーダンスを通して、振幅Ｖrefiの多数の異なる基準周期電圧を、基準周期電圧源を用いて検知ノードに順次供給することｃ．供給された基準電圧のそれぞれに対して、電流測定回路によって検知ノードに加えられた電流の、それぞれの振幅Ｉmiに対応する値を決定することｄ．制御・評価回路によって加えられる振幅ゼロの電流につながる、基準周期電圧源を用いて検知ノードに供給されるべき検知基準電圧Ｖsの振幅を決定することｅ．ステップｄで決定された検知基準電圧Ｖs、周期ガード電圧Ｖg、及び基準インピーダンスＺrefを参照して、検知電極の未知の検知インピーダンスＺxを計算すること。【選択図】図１
2019533170.tif 000002
【特許請求の範囲】
【請求項１】
ローディングモードで動作するガード・検知間静電容量式センサーの検知インピーダンス決定のための方法であって、
センサーが、検知ノードに接続された導電性の検知電極、ガードノードに接続された導電性のガード電極、振幅Ｖｇの周期ガード電圧をガードノードに供給するための周期ガード電圧源、及び、検知ノードとガードノードとに動作可能に接続された制御・評価回路を含み、
制御・評価回路が、検知ノードに電流を加えることにより、検知ノードとガードノードとの間の電位差をゼロに保持するように、そして、検知ノードに加えられた前記電流の振幅に対応する値を決定するように構成され、
ａ．周期ガード電圧源を用いて、周期ガード電圧を供給すること
ｂ．予め定められた値Ｚrefの基準インピーダンスを通して、ｉとｎとが正の自然数であり、ｎ ≧ ２に対して１ ≦ ｉ≦ ｎである振幅Ｖrefiのｎ個の異なる基準周期電圧を、基準周期電圧源を用いて検知ノードに順次供給すること
ｃ．供給された振幅Ｖrefiの基準電圧のそれぞれに対して、制御・評価回路によって検知ノードに加えられた電流の、それぞれの振幅Ｉmiに対応する値を決定すること
ｄ．制御・評価回路によって加えられる振幅ゼロの電流につながる、基準周期電圧源を用いて検知ノードに供給されるべき検知基準電圧Ｖsの振幅を決定すること
ｅ．ステップｄで決定された検知基準電圧Ｖs、周期ガード電圧Ｖg、及び基準インピーダンスＺrefを参照して、検知電極の未知の検知インピーダンスＺxを計算すること
の各ステップを含む、ローディングモードで動作するガード・検知間静電容量式センサーの検知インピーダンス決定のための方法。
【請求項２】
ステップｅが、ステップｄで決定された検知基準電圧を参照して、以下の式を用いて検知電極の未知の検知インピーダンスＺxを計算するステップを含む、請求項１に記載された、ローディングモードで動作するガード・検知間静電容量式センサーの検知インピーダンス決定のための方法。
2019533170.tif 000014
【請求項３】
ステップｄが、以下の式を用いて検知基準電圧Ｖsの振幅を補間によって計算するステップを含む、請求項１又は２に記載された、ローディングモードで動作するガード・検知間静電容量式センサーの検知インピーダンス決定のための方法。
2019533170.tif 000015
ここで、Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流の振幅である。
【請求項４】
ステップｄが、検知測定回路によって検知ノードに加えられる電流の振幅が実質的にゼロである検知基準電圧Ｖsに到達するまで、制御ループによって基準電圧Ｖrefiの値を調整するステップを含む、請求項１から３の何れか１項に記載された、ローディングモードで動作するガード・検知間静電容量式センサーの検知インピーダンス決定のための方法。
【請求項５】
ステップｄが、以下の式を用いて検知基準電圧Ｖscの振幅を補間によって計算すること
2019533170.tif 000016
ここで、Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流である。
及び、計算された検知基準電圧Ｖscの振幅からスタートして、検知測定回路によって検知ノードに加えられる電流の振幅の測定値が実質的にゼロである、改善された検知基準電圧Ｖsに到達するまで、制御ループによって基準電圧の値を調整すること、
のステップを含む、請求項１又は２に記載の、ローディングモードで動作するガード・検知間静電容量式センサーの検知インピーダンス決定のための方法。
【請求項６】
ローディングモードで動作するガード・検知間静電容量式センサーの検知インピーダンス決定のためのインピーダンス測定回路であって、
前記センサーが、検知ノードに接続された導電性の検知電極、ガードノードに接続された導電性のガード電極を含み、
前記インピーダンス測定回路が、振幅Ｖｇの周期ガード電圧をガードノードに供給するための周期ガード電圧源、及び、検知ノードとガードノードとに動作可能に接続された制御・評価回路を含み、
制御・評価回路が、検知ノードに電流を加えることにより、検知ノードとガードノードとの間の電位差を動作中ゼロに保持するように、そして、検知ノードに加えられた前記電流の振幅に対応する値を決定するように構成され、
インピーダンス測定回路が、予め定められた値Ｚrefの基準インピーダンスを通して、前記検知ノードに振幅Ｖrefiのｎ個の異なる基準周期電圧を供給するように構成された、基準周期電圧源を更に含み、ここでｉとｎとは正の自然数であって、ｎ ≧ ２に対して１ ≦ ｉ ≦ ｎであり、
前記制御・評価回路が、
供給された振幅Ｖrefiの基準電圧のそれぞれに対して、検知ノードに加えられた電流のそれぞれの振幅Ｉmiに対応する値、
及び、制御・評価回路によって加えられる振幅ゼロの電流につながる、基準周期電圧源を用いて検知ノードに供給されるべき検知基準電圧Ｖsの振幅、を動作中に決定するように構成され、
制御・評価回路が、検知基準電圧Ｖs、周期ガード電圧Ｖg、及び基準インピーダンスＺrefを参照して、検知電極の未知のインピーダンスを、動作中計算するように構成される、インピーダンス測定回路。
【請求項７】
制御・評価回路が、検知基準電圧Ｖs、周期ガード電圧Ｖg、及び基準インピーダンスＺrefを参照して、以下の式を用いて検知電極の未知のインピーダンスを動作中計算するように構成された、請求項６に記載されたインピーダンス測定回路。
2019533170.tif 000017
【請求項８】
制御・評価回路が、以下の式による補間による計算結果を用いて、検知基準電圧Ｖsの振幅を動作中に決定するように構成された、請求項６又は７に記載されたインピーダンス測定回路。
2019533170.tif 000018
ここで、Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流の振幅である。
【請求項９】
制御・評価回路が、検知測定回路によって検知ノードに加えられる電流の振幅が実質的にゼロである検知基準電圧Ｖsに到達するまで、制御ループによって基準電圧Ｖrefiの値を調整することにより、検知基準電圧Ｖsの振幅を動作中に決定するように構成された、請求項６から８の何れか１項に記載されたインピーダンス測定回路。
【請求項１０】
制御・評価回路が、検知基準電圧Ｖscの振幅を決定するため、以下の式による補間による計算結果を用いて、検知基準電圧Ｖsの振幅を動作中に決定するように構成され、
2019533170.tif 000019
ここで、Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流であり、
次に、計算された検知基準電圧Ｖscの振幅からスタートして、制御・評価回路が、検知測定回路によって検知ノードに加えられる電流の振幅の測定値が実質的にゼロである、改善された検知基準電圧Ｖsに到達するまで、制御ループによって基準電圧の値を動作中調整するように構成された、請求項６又は７に記載されたインピーダンス測定回路。
【請求項１１】
制御・評価回路が、プロセッサユニット及びディジタルメモリユニットを更に含み、前記ディジタルメモリユニットは、そこに記憶され、計算機で実行されると、請求項１から５の何れか１項に記載された、ローディングモードで動作するガード・検知間静電容量式センサーの検知インピーダンス決定のための方法をプロセッサに実行させるプログラムコードを含む、請求項６から１０の何れか１項に記載されたインピーダンス測定回路。
【発明の詳細な説明】
【技術分野】
【０００１】
本発明は、概して、ガード・検知間（guard-sense）静電容量式センサーの検知インピーダンス(sense impedance)決定のための静電容量式検知回路の分野に関する。本発明は、特に、ローディングモード（loading mode）で動作するガード・検知間静電容量式センサーの検知インピーダンス決定のための方法に関する。
【背景技術】
【０００２】
静電容量式検知は、高度技術の分野で今や一般に用いられている。例えば自動車において、静電容量式検知回路は、エアバッグやシートベルトプリテンショナー等の安全装置の起動を制御するための、乗員検知システムに設置されていることが多い。ローディングモードで動作するガード・検知間静電容量式回路と呼ばれる静電容量式検知回路を用いることは、今では一般的なことである。
【０００３】
「ローディングモード」という用語は、非接触３次元位置測定を行うために、特に、人体の存在を、及び／又は電極に対する人体の位置を検知するために用いられる電界検知の概念を説明するのに用いられる。検知は、電極、又は送信板から、人体を通して接地に引き出される電流の測定から導かれる。この概念は、２つの他の一般的な静電容量式検知のモードである、「シャントモード（shunt mode）」及び「トランスミットモード（transmit mode）」と区別するためのものである。異なる静電容量式検知の動作モードについての更なる説明は、１９９８年５／６月に出版された、Computer Graphics I/O Devicesの５８−６０ページに発表された、J.R. Smithによる「Electric Field Sensing for Graphical Interfaces」と題する技術論文を参照されたい。
【０００４】
ガード・検知間静電容量式センサーは、従来技術において一般に知られているように、検知ノードに接続された検知電極、及びガードノードに接続されたガード電極を含む。センサーは、予め定められた振幅のガード電圧を、動作中ガードノードに供給するための、ガードノードに接続された周期電圧源を更に含む。
【０００５】
センサーは、検知ノード及びガードノードに接続された制御・評価回路を更に含む。制御・評価回路は、決定すべき未知の検知インピーダンスを経由して検知電極から取り出される電流に対応する電流を、検知ノードに注入することによって、動作中、検知電極をガード電極と同電位に保持するように構成される。２つの電極間の空間には、従って電界が無く、ガード電極の方向のどこに存在する身体に対しても、検知電極は鈍感になる。
【０００６】
本願の文言において、検知電極及びガード電極が同電位に保持されること、及び前記２つの電極間の空間に電界が無いことを主張するために、一般的な理論的近似を用いていることが分かる。この近似は、以下の説明においても用いられる。
【０００７】
制御・評価回路は、自身が検知ノードに注入している電流を決定し、検知ノードに注入された電流を、従って、決定すべき検知インピーダンスを示す出力信号を発するように構成される。これらの役割を実行するために、制御・評価回路は、トランスインピーダンス増幅器及びアナログ・ディジタル変換器を一般に含む。トランスインピーダンス増幅器の負入力及び正入力は、検知ノード及びガードノードにそれぞれ接続される。トランスインピーダンス増幅器の出力信号は、入力間の電位差をゼロに等しく保持するために、増幅器によってその負入力に注入された電流に比例する。アナログ・ディジタル変換器は、通常、増幅器の出力に接続される。
【０００８】
ガード・検知間静電容量式検知回路は、指向性（方向性）を持つこと、及び、非誘電性の環境物に乱されることなく身体の検出が可能であることに利点を持つ。にもかかわらず、測定回路は、低インピーダンスにおいて致命的(critical)となる虞れがある検知インピーダンスの決定における無視できない誤差を含む、非理想的な構成要素を一般に用いている。
【０００９】
一般に、検知インピーダンスの決定における誤差は、様々な未知のインピーダンスに関連しており、その主な発生源は検知・ガード間インピーダンス（sense-to-guard impedance）である。ガード・検知間インピーダンス(guard-sense impedance)は、ガードノードと検知ノードとの間のインピーダンスであることが分かる。ガード・検知間インピーダンスは、以降、寄生インピーダンスとも呼ぶ。
【００１０】
静電容量式測定回路において寄生インピーダンスの影響を抑えることによって、時変、非理想的な機器のインピーダンスを測定する技術において、知られた解決策が既に存在する。例えば、特許文献米国第４，４８１，４６４号明細書には、非理想的な静電容量式測定回路におけるインピーダンス測定を改良する解決策が説明されている。回路は、パルス発生器、正弦波発生器を含む入力部を含み、寄生インピーダンスに対応する、測定された信号の邪魔な部分を分離するための復調を実行する。
【００１１】
しかしながらその様な解決策は、カップリングモード（coupling mode）で動作する静電容量式検知システムのみに適合するもので、本発明が関係するローディングモード測定には適用出来ない。
【発明の概要】
【発明が解決しようとする課題】
【００１２】
従って本発明の目的は、従来技術と比較してセンサーの測定を改良する、ローディングモードで動作するガード・検知間静電容量式センサーの検知インピーダンス決定のための方法を提案することである。
【課題を解決するための手段】
【００１３】
本発明は、ローディングモードで動作するガード・検知間静電容量式センサーの検知インピーダンス決定のための方法を提供することによって、上記考察された欠陥及び不都合を克服するものである。センサーは、検知ノードに接続された導電性の検知電極、ガードノードに接続された導電性のガード電極、振幅Ｖｇの周期ガード電圧をガードノードに供給するための周期ガード電圧源、及び、検知ノードとガードノードとに動作可能に接続された制御・評価回路を含む。
【００１４】
本発明の文言において、そして明確なことわりが無い限り、電流又は電圧の「振幅」という用語は、前記電流又は電圧の複素振幅を指す。
【００１５】
制御・評価回路は、検知ノードに電流を加えることにより、検知ノードとガードノードとの間の電位差を動作中ゼロに保持するように、そして、検知ノードに加えられた前記電流の振幅に対応する値を決定するように構成される。
【００１６】
本方法は以下の各ステップを含む。
ａ．周期ガード電圧源を用いて、周期ガード電圧を供給すること。
ｂ．予め定められた値Ｚrefの基準インピーダンスを通して、振幅Ｖrefiのｎ個の異なる基準周期電圧を、基準周期電圧源を用いて検知ノードに順次供給すること。ここで、ｉとｎとは正の自然数であり、ｎ ≧ ２に対して１ ≦ ｉ≦ ｎである。
ｃ．供給された振幅Ｖrefiの基準電圧のそれぞれに対して、電流測定回路によって検知ノードに加えられた電流の、それぞれの振幅Ｉmiに対応する値を決定すること。
ｄ．制御・評価回路によって加えられる振幅ゼロの電流につながる、基準周期電圧源を用いて検知ノードに供給されるべき検知基準電圧Ｖsの振幅を決定すること。
ｅ．ステップｄで決定された検知基準電圧Ｖs、周期ガード電圧Ｖg、及び基準インピーダンスＺrefを参照して、検知電極の未知の検知インピーダンスＺxを計算すること。
【００１７】
本発明による方法は、ガード・検知間インピーダンスの影響無しで検知電極の未知のインピーダンスを決定する手段を提供する。実際、未知の検知インピーダンスの計算は、制御・評価回路によって検知ノードに加えられる振幅ゼロの電流を仮想的に考慮することにより行われる。このことは、理論的近似によって、本発明が、寄生ガード・検知間インピーダンスを通してガードノードと検知ノードとの間に流れる電流が存在せず、その結果、ガードノードと検知ノードとの間のガード・検知間インピーダンスが決定から除去されるという、仮想的なケースにおける未知のインピーダンス決定を目指すことを意味する。
【００１８】
本発明の好ましい実施形態によれば、ステップｅは、ステップｄで決定された検知基準電圧を参照して、以下の式を用いて検知電極の未知の検知インピーダンスＺxを計算するステップを含む。
【数１】
2019533170.tif 000003
【００１９】
この式は、Ｖsが加えられる仮想的な動作点において、制御・評価回路によって検知ノードに加えられる電流が実質的にゼロに等しい振幅を有するという、回路における単純化を用いている。この式は、予め決定された値を結び付けるだけのものである。
【００２０】
実施形態において、ステップｄは、以下の式を用いて補間によって検知基準電圧Ｖsの振幅を計算するステップを含む。
【数２】
2019533170.tif 000004
ここで、Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流の振幅である。
【００２１】
従って、検知基準電圧Ｖsは、最小で２点の測定で決定することが出来、それは、より大きな誤差範囲を有する典型的な従来技術の検知インピーダンス測定より１点多いだけである。測定されるインピーダンスは時変であるから、測定結果のスピードは重要な特徴である。
【００２２】
実施形態において、ステップｄは、検知測定回路によって検知ノードに加えられる電流の振幅が実質的にゼロである検知基準電圧Ｖsに到達するまで、制御ループによって基準電圧Ｖrefiの値を調整するステップを含む。
【００２３】
検知基準電圧を決定するために用いられるそれぞれの測定に存在する誤差範囲を減らすために、本発明の本実施形態では、予め定められた誤差範囲に到達するまで検知基準電圧Ｖsを調整する制御ループを用いる。制御ループは、センサーの応答性を減速させるが、結果として得られる検知インピーダンス測定の感度を改善する。本発明による制御ループは、最適な測定を提供するために、検知インピーダンス測定の応答性を感度とバランスさせるように構成される。
【００２４】
好ましくは、本発明のステップｄは、以下のステップを含む。
・以下の式を用いて補間によって検知基準電圧Ｖscの振幅を計算すること。
【数３】
2019533170.tif 000005
ここで、Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流である。
・及び、計算された検知基準電圧Ｖscの振幅からスタートして、検知測定回路によって検知ノードに加えられる電流の振幅の測定値が実質的にゼロである、改善された検知基準電圧Ｖsに到達するまで、制御ループによって基準電圧の値を調整すること。
【００２５】
本発明の本実施形態において、検知基準電圧の決定は２つのステップで実行される。第１のステップは、２つの最初の測定に従って行われる補間である。補間は、結果的に理想値に近い値を生じるが、依然として誤差範囲を有する。第２のステップは、制御ループによって結果を微調整することによって、前記誤差範囲を低減することからなる。そのようにして、制御ループを用いるのみの実施形態と比較して、検知基準電圧の決定スピードは大いに改善し、補間を用いるのみの方法の実施形態と比較して、結果の精度は改善する。
【００２６】
本発明の別の観点によれば、ローディングモードで動作するガード・検知間静電容量式センサーの検知インピーダンス決定のためのインピーダンス測定回路が提供される。前記センサーは、検知ノードに接続された導電性の検知電極、ガードノードに接続された導電性のガード電極を含む。
【００２７】
インピーダンス測定回路は、振幅Ｖｇの周期ガード電圧をガードノードに供給するための周期ガード電圧源、及び、検知ノードとガードノードとに動作可能に接続された制御・評価回路を含む。制御・評価回路は、検知ノードに電流を加えることにより、検知ノードとガードノードとの間の電位差を動作中ゼロに保持するように、そして、検知ノードに加えられた前記電流の振幅に対応する値を決定するように構成される。
【００２８】
インピーダンス測定回路は、予め定められた値Ｚrefの基準インピーダンスを通して、前記検知ノードに振幅Ｖrefiのｎ個の異なる基準周期電圧を供給するように構成された、基準周期電圧源を更に含む。ここで、ｉとｎとは正の自然数であり、ｎ ≧ ２に対して１ ≦ ｉ ≦ ｎである。
【００２９】
制御・評価回路は、供給された振幅Ｖrefiの基準電圧のそれぞれに対して、検知ノードに加えられた電流のそれぞれの振幅Ｉmiに対応する値、及び、基準周期電圧源によって検知ノードに供給されるべき検知基準電圧Ｖsの振幅、を動作中に決定するように構成され、この検知基準電圧Ｖsが、制御・評価回路によって加えられる振幅ゼロの電流につながる。制御・評価回路は、検知電極の未知のインピーダンスを、検知基準電圧Ｖs、周期ガード電圧Ｖg、及び基準インピーダンスＺrefを参照して、すなわち、基準周期電圧源によって加えられたＶsを考慮した仮想的な動作点において、動作中計算するようにも構成される。
【００３０】
「構成される」という用語は、本願で用いられるように、特別にプログラムされる、設計される、備え付けられる、或いは配置される、ということであると特に理解されたい。
【００３１】
本発明による回路は、基準周期電圧源、及び検知ノードに接続された基準インピーダンスの付加によって、典型的な従来技術の検知インピーダンス測定回路とは異なる。基準電圧源により供給される信号は、検知インピーダンスと接地との間の回路で失われる電流を補償するのに必要な信号の決定を、動作中可能とする。
【００３２】
本発明は、インピーダンス測定回路によって検知インピーダンスを通して接地に失われる電流を補償する信号を、検知ノードに供給することによって、検知ノードがガードノードの電位と同じ電位を保持し、制御・評価回路によって検知ノードに供給される電流の振幅がゼロとなり、結果的にそれがガード・検知間インピーダンスを抑制することになる動作点において、回路が動作すると概ね考えられる、という洞察の上になされている。この動作点において、前述の検知ノードに供給される信号は、検知インピーダンスに比例する。
【００３３】
従って、検知インピーダンスを通して検知電極から接地に流れる電流を補償するために必要とされる信号の決定は、寄生ガード・検知間インピーダンスを抑制しつつ、制御・評価回路が検知インピーダンスを決定することを可能とする。
【００３４】
注目すべきは、本発明による回路の実現は、特に高価な部品無しで一般に用いられる基本的な電気部品に依拠することである。従って、回路の全体的なコストは低く抑えられる。
【００３５】
本発明の好ましい実施形態において、制御・評価回路は、検知基準電圧Ｖs、周期ガード電圧Ｖg、及び基準インピーダンスＺrefを参照して、以下の式を用いて、検知電極と接地との間の未知のインピーダンスを動作中計算するように構成される。
【数４】
2019533170.tif 000006
【００３６】
実施形態において、制御・評価回路は、以下の式による補間による計算結果を用いて、検知基準電圧Ｖsの振幅を動作中に決定するように構成される。
【数５】
2019533170.tif 000007
Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流の振幅である。
【００３７】
実施形態において、制御・評価回路は、検知測定回路によって検知ノードに加えられる電流の振幅が実質的にゼロである検知基準電圧Ｖsに到達するまで、制御ループによって基準電圧Ｖrefiの値を調整することにより、検知基準電圧Ｖsの振幅を動作中に決定するように構成される。
【００３８】
本発明の好ましい実施形態において、制御・評価回路は、検知基準電圧Ｖscの振幅を決定するため、以下の式による補間による計算結果を用いて、検知基準電圧Ｖsの振幅を動作中に決定するように構成される。
【数６】
2019533170.tif 000008
ここで、Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流である。次に、計算された検知基準電圧Ｖscの振幅からスタートして、制御・評価回路は、検知測定回路によって検知ノードに加えられる電流の振幅の測定値が実質的にゼロである、改善された検知基準電圧Ｖsに到達するまで、制御ループによって基準電圧の値を動作中調整するように構成される。
【００３９】
本発明によるインピーダンス測定回路の長所は、本発明による方法の全ステップを動作中に実行するように構成されることである。その結果、方法の利点が回路に当てはまる。更に、本回路は特に高価な部品を一切含まない。
【００４０】
有利にも、制御・評価回路は、プロセッサユニット及びディジタルメモリユニットを更に含み、前記ディジタルメモリユニットはそこに記憶されるプログラムコードを含む。プログラムコードは、プロセッサで実行されると、本発明によるローディングモードで動作するガード・検知間静電容量式センサーの検知インピーダンス決定のための方法をプロセッサに実行させる。
【００４１】
計算機プログラムコードは、自動化されたプロセスで且つリアルタイムで、インピーダンス測定回路が本発明による方法のステップを実行するのを可能とする。
【００４２】
本発明による回路及び／又は方法は、着座検知を実行するために自動車に装備され得る。結果として得られるセンサーは、例えば、着座センサー、腕位置センサー、チャイルドシート検知センサーなどであり得る。
【図面の簡単な説明】
【００４３】
本発明のさらなる細部及び利点は、添付図面を参照した、限定的でない実施形態の以下の詳細な説明から明らかとなる。
【図１】本発明によるインピーダンス測定回路の実施形態の配置図を示す。
【図２】本発明による方法の実施形態のフローチャートである。
【図３】図２による未知の検知インピーダンスの計算を実施するのに用いられる、図１の検知ノード周りを解説する配置図である。
【発明を実施するための形態】
【００４４】
本発明の文言において、「ガード・検知間静電容量式センサー」という用語は、「ローディングモードで動作するガード・検知間静電容量式センサーの検知インピーダンス決定のためのインピーダンス測定回路」を示すために用いられる。
【００４５】
図１に示すように、本発明によるガード・検知間静電容量式センサー１０は、検知ノード１４に接続された導電性の検知電極１２、ガードノード１８に接続された導電性のガード電極１６を含む。２つの電極１２、１６は、両者間に直流電流が流れないように直流的に絶縁されている。
【００４６】
センサー１０は、ガードノード１８に接続された周期ガード電圧源２０、及び検知ノード１４とガードノード１８とに動作可能に接続された制御・評価回路２２を含む。
【００４７】
センサー１０は、予め定められた値Ｚrefの基準インピーダンスを通して検知ノード１４に接続された基準周期電圧源２４を更に含む。
【００４８】
周期ガード電圧は、予め定められた振幅Ｖg及び所与の周波数を有する。ガード電圧の周波数は、好ましくは周囲の寄生インピーダンスの検知インピーダンスへの影響を最小化するように決定される。この決定は既知値のリストに基づく。
【００４９】
制御・評価回路２２は、検知ノード１４にリアルタイムで電流を加えることにより、検知ノード１４とガードノード１８との間の電位差を、動作中ゼロに保持するように構成されるが、この電流は、検知電極１２から未知の検知インピーダンスＺxを通して接地に流れる電流を補償する。以下では、制御・評価回路２２によって加えられた電流は、注入電流と呼んでもよい。
【００５０】
制御・評価回路２２は、注入電流の振幅に対応する値を、動作中且つリアルタイムで決定するように更に構成される。以下では、後者の値は測定電流Ｉmと呼んでもよい。
【００５１】
実施形態において、制御・評価回路は、例えば、負入力が検知ノード１４に接続され、正入力がガードノード１８に接続されたトランスインピーダンス増幅器２６の様な、電流・電圧変換器を含む。トランスインピーダンス増幅器２６の出力電圧は、検知ノード１４とガードノード１８とに同じ電位を保持するために、検知ノード１４に加えられた電流に比例する。
【００５２】
好ましくは、制御・評価回路２２は、トランスインピーダンス増幅器２６の出力電圧の変化量を決定し、その情報を、トランスインピーダンス増幅器２６によって加えられた入力電流値Ｉmに変換するように構成された、測定回路２８を含む。
【００５３】
身体が検知電極１２に近づくと、前記検知電極１２から前記身体を通して接地に電流が流れる。検知ノード１４から接地に流れる電流は増加する。制御・評価回路２２は、注入電流Ｉmを増加させることにより反応し、前記注入電流Ｉmを測定する。
【００５４】
検知電極１２に近い身体の存在は、センサー回路１０において、検知電極１２と接地との間の付加的な未知の検知インピーダンスＺxとしてモデル化することが出来る。加えて、Ｚxの値は前記身体の特性に関連付けることが出来る。従ってセンサーは、大人、子供、及び別の身体を区別することが可能である。与えられた身体に対して、未知のインピーダンスＺxの値は、検知電極１２からの身体の距離に比例する。
【００５５】
図２に示すように、方法５０の最初のステップ５２では、ガード電圧源２０は、ガードノード１８に周期ガード電圧Ｖgを加える。周期ガード電圧は、好ましくは振幅Ｖgの正弦波信号である。
【００５６】
次のステップ５４では、基準電圧源２４は、基準インピーダンスＺrefを通して、検知ノード１４に振幅Ｖrefiのｎ個の異なる基準周期電圧を順次供給する。ここで、数字ｉとｎとは正の自然数であり、ｎ ≧ ２に対して１ ≦ ｉ≦ ｎである。
【００５７】
有利にも、基準電圧源２４は、第１の予め定められた振幅Ｖref1の基準電圧を供給し、Ｖref1の値は、誘電性の物体が検知電極１２に隣接していない時に必要な電圧に対応する、予め定められた値であり得る。
【００５８】
一部の実施形態では、測定回路２８が、例えばプロセッサユニット３０及びディジタルメモリユニット３２の様な、データを記憶して自動ステップを実行するための構成要素を更に含む。ディジタルメモリユニット３２は、方法５０で用いられる予め定められた値を記憶するように構成される。
【００５９】
好ましくは、異なる基準電圧は全て同じ周波数を有し、前記周波数はガード電圧の周波数と同一である。
【００６０】
方法５０の別のステップ５６において、測定システム２８は、供給された振幅Ｖrefiの基準電圧のそれぞれに対して、制御・評価回路２２によって検知ノード１４に加えられた電流のそれぞれの振幅Ｉmiに対応する値を決定する。
【００６１】
次にステップ５８において、制御・評価回路２２は、振幅Ｉmsがゼロに等しい検知注入電流につながる、振幅Ｖsの検知基準電圧の値を決定する。
【００６２】
測定された注入電流Ｉmは、Ｉm+が正の閾値でありＩm-が負の閾値であるＩm-≦Ｉm≦Ｉm+の様な、予め定められた閾値域の範囲内であれば、実質的にゼロに等しいと見なされる。閾値Ｉm+及びＩm-は、センサーの目標とする感度及び応答性に従って予め定められる。実際、広い閾域に対しては、基準電圧Ｖsの決定は高速であるが不正確になり、逆に、狭い閾域に対しては、Ｖsの決定は時間がかかり且つ正確になる。閾域は、好ましくはセンサーの構想中に設定される。
【００６３】
好ましい実施形態において、本発明による方法５０のステップ５８は以下のステップを含む。
【００６４】
第１のステップ６０において、２つの異なるＶrefiのセット及びそれらに対応する決定されたＩmiに基づいて、制御・評価回路２２は、振幅Ｉms＝０である検知注入電流につながる、計算された検知基準電圧の振幅Ｖscの値を、外挿によって計算する。
【００６５】
外挿による計算は、基準電圧Ｖrefiの所与の周波数に対して、注入電流の振幅の変化量は基準電圧源２４によって供給される電圧の振幅の変化量に線形に比例する、という洞察に基づいている。これは、基準周期電圧源２４によって検知ノードに供給される、Ｖrefa、Ｖrefbのそれぞれの振幅を有する２つの何れの異なる基準周期電圧に対しても、制御・評価回路２２は、Ｖrefa、Ｖrefbのそれぞれに対して、２つの注入電流Ｉma、Ｉmbを測定し、次式の関係を得ることを意味する。
【数７】
2019533170.tif 000009
ここでＫは定数である。
【００６６】
結果として、以下の式を導くことが出来る。
【数８】
2019533170.tif 000010
ここで、Ｖref1及びＶref2は、基準周期電圧源から供給される２つの異なる基準電圧であり、Ｉm1及びＩm2はそれぞれ、供給された電圧Ｖref1及びＶref2に対して、検知測定回路によって検知ノードに加えられる電流の振幅である。Ｉms＝０に対して、後式は以下のように変形することが出来る。
【数９】
2019533170.tif 000011
【００６７】
有利にも、Ｖref1及びＶref2は、基準電圧源２４によって順次供給される２つの最初の基準電圧である。
【００６８】
第２のステップ６２において、制御・評価回路２２は、結果を微調整するために制御ループ３４を用いる。一部の実施形態では、制御ループ３４がＰＩＤ制御器３６を含む。値Ｖscからスタートして、ＰＩＤ制御器３６は、検知注入電流振幅Ｉmsに到達するまで、基準周期電圧Ｖrefの振幅の値を動作中調整する。
【００６９】
値Ｖscからスタートして、制御・評価回路２２は、ステップ６２で実施されるそれぞれの新たな測定に従って、実質的にゼロに等しいと見なされる検知注入電流振幅Ｉmsに到達するまで、基準周期電圧の振幅の値を調整する。一旦検知注入電流振幅Ｉmsの値に到達すると、制御・評価回路は検知基準電圧Ｖsの真の振幅を導出する。
【００７０】
注目すべきは、本発明の実施形態において、検知基準電圧Ｖsの振幅を決定するステップ５８は、上述のように外挿による計算のみを用いて実現されるということである。制御・評価回路２２は、計算された検知基準電圧Ｖscを、以下の近似を用いて真の検知基準電圧Ｖsと同じとする。
【数１０】
2019533170.tif 000012
【００７１】
本発明の更に他の実施形態においては、全ての測定で同一である制御ループが基準電圧振幅のプリセット値からスタートする点を除き、検知基準電圧Ｖsの振幅を決定するステップ５８は、上述のとおり制御ループを含む制御・評価回路のみで実現される。
【００７２】
本発明による方法の好ましい実施形態において、一旦検知基準電圧Ｖsが決定されると、方法５０は制御・評価回路２２によって検知電極１４と接地との間の未知の検知インピーダンスＺxを計算するステップ６４を含む。未知の検知インピーダンスＺxの計算は、図３に示すように、制御・評価回路２２によって検知ノード１４に注入される電流が実質的にゼロに等しく、検知ノード１４の電位がガード電位Ｖgに等しいという状況で、検知ノード１４に適用されるキルヒホッフの回路法則から導出される。用いられる式は例えば下記であってもよい。
【数１１】
2019533170.tif 000013
【００７３】
本発明による回路の好ましい実施形態において、ディジタルメモリユニット３２はそこに記憶される計算機プログラムコードを含む。
【００７４】
プロセッサで実行されると、プログラムコードは、本発明によるローディングモードで動作するガード・検知間静電容量式センサーの検知インピーダンス決定のための方法を、上述のようにプロセッサ３０に実行させる。
【符号の説明】
【００７５】
１０  センサー回路
１２  検知電極
１４  検知ノード
１６  ガード電極
１８  ガードノード
２０  周期ガード電圧源
２２  制御・評価回路
２４  基準周期電圧
２６  トランスインピーダンス増幅器
２８  測定回路
３０  プロセッサユニット
３２  メモリユニット
３４  制御ループ
３６  ＰＩＤ制御器
方法ステップ
５２  周期ガード電圧Ｖgを加えること
５４  複数の基準電圧Ｖrefiを順次供給すること
５６  それぞれのＶrefiに対してそれぞれのＩmiの値を決定すること
５８  検知基準電圧Ｖsの振幅を決定すること
６０  外挿によってＶsを計算すること
６２  制御ループを用いてＶsを決定すること
６４  未知の検知インピーダンスＺxを計算すること
【図１】
2019533170.tif 000020
【図２】
2019533170.tif 000021
【図３】
2019533170.tif 000022
【国際調査報告】
2019533170.tif 000023
2019533170.tif 000024